(57)【要約】【課題】  設定値を不正に変更するゴト行為を防止する。【解決手段】  スロットマシンの設定値を表示する設定値表示装置３４は、収納箱１１に回動自在に取付けられた下部扉１２ｂの裏側の位置に設けられている。また、設定表示装置３４の表示面４２は、下部扉１２ｂのヒンジ５０の方を向いている。設定値を選択する際、表示される設定値を確認するには、下部扉１２ｂを大きく開放し、ヒンジに頭を近づけて覗き込むようにする必要があるため、下部扉１２ｂを大きく開放する動作と、設定値を確認するために覗き込む動作とによって不正行為を目立たせることができ、これを容易に発見することができる。【選択図】        図６
2006191999.tif 000002
【特許請求の範囲】
【請求項１】
当りの当選確率が互いに異なる複数の抽選テーブルの中から一つを選択する操作によって抽選テーブルを設定するとともに、設定された抽選テーブルに対応した設定値信号を出力する設定手段を備え、この設定手段により設定された抽選テーブルを用いて遊技が実行される遊技機において、
前記設定値信号を受け、その設定値信号に対応した設定値が表示される表示面を有する設定値表示装置と、筐体の一端側に設けられたヒンジによって回動自在に取付けられた扉とを備え、
前記設定値表示装置は、前記扉の裏側の位置に、前記表示面を前記ヒンジに向けて設けられていることを特徴とする遊技機。
【請求項２】
前記設定値表示装置は、前記扉の中央の位置から前記ヒンジに寄った位置に設けられていることを特徴とする請求項１記載の遊技機。
【請求項３】
前記設定値表示装置を回動自在に支持する支持手段と、前記設定値表示装置を固定し、前記表示面の向きを定める固定手段とを備えたことを特徴する請求項１又は２記載の遊技機。
【請求項４】
前記設定値表示装置を回動自在に支持する支持手段と、前記設定値表示装置の回動する範囲を規制する規制手段とを備えたことを特徴とする請求項１又は２記載の遊技機。
【発明の詳細な説明】
【技術分野】
【０００１】
本発明は、複数の設定値から１つの設定値を選択することにより当りの当選確率が異なる抽選テーブルの選択が可能な遊技機に関する。
【背景技術】
【０００２】
パチンコ店などの遊技場に設置して使用されるスロットマシンはパチスロ機と称され、その遊技媒体とされるメダルに一定の価値が与えられて、遊技を行って獲得したメダルを種々の景品に交換することができる。パチスロ機では、当りの当選確率が異なる複数種類の抽選テーブルから１つの抽選テーブルが選択され、選択された抽選テーブルを用いて遊技が実行される。当りが抽選されると、例えば、獲得できるメダル枚数が多いボーナス遊技を行うことができる。したがって、抽選テーブルが変更されると、遊技に使用されるメダルの枚数に対し、遊技を行って獲得できるメダルの枚数の平均的な割合を表すペイアウト率が変化し、遊技者に利益が付与される確率が変わる。
【０００３】
当りの当選確率は、例えば、最低値から最高値までが６段階に分けられ、各当選確率は１〜６の６通りの設定値に割り当てられている。当りの当選確率を変更するためには、各当選確率と１対１に対応した設定値を変更することになる。なお、設定値が高いほど当選確率が高く、設定値が低いほど当選確率が低くされている（例えば、特許文献１参照）。
【０００４】
設定値を選択するためには、パチスロ機の前面部を構成する前面扉の施錠を解除し、この前面扉を開放した状態で設定値を選択する操作が行われる。前面扉を開放するための鍵は遊技場側で管理され、一般の遊技者が設定値を変更することはできない。遊技場の管理者は、パチスロ機の設定値を１台ごとに入念に決定し、営業上の利益と遊技者の利益のバランスを保つことで、遊技者が公平に遊技を楽しむことができるようにしている。また、遊技者が高い設定値のパチスロ機を推測して遊技を行う楽しみもあり、遊技の興趣を盛り上げる点でも設定値は重要なものとなっている。
【特許文献１】特開２００４−１３５８４４号公報
【発明の開示】
【発明が解決しようとする課題】
【０００５】
しかしながら、パチスロ機では、例えば上述した前面扉の施錠を解除する鍵を複製し、遊技場の営業時間中に複製した鍵で扉を開放することによって不正に設定値を選択する、いわゆる、ゴト行為が行われることが問題となっている。ゴト行為は年々悪質さを増しており、遊技場の利益の損失は大きくなる一方で、遊技を公平に行うことができなくなることへの遊技者の不満が高まっていた。
【０００６】
本発明は、不正に設定値を選択するゴト行為を防止することができる遊技機を提供することを目的とする。
【課題を解決するための手段】
【０００７】
上記目的を達成するために、本発明の遊技機は、当りの当選確率が互いに異なる複数の抽選テーブルの中から一つを選択して設定するとともに、設定された抽選テーブルに対応した設定値信号を出力する設定手段を備え、この設定手段で設定された抽選テーブルを用いて遊技が実行される遊技機において、前記設定値信号を受け、その設定値信号に対応した設定値が表示される表示面を有する設定値表示装置と、筐体の一端側に設けられたヒンジによって回動自在に取付けられた扉とを備え、前記設定値表示装置は、前記扉の裏側の位置に、前記表示面を前記ヒンジに向けて設けられていることを特徴とする。
【０００８】
また、前記設定値表示装置は、前記扉の中央の位置から前記ヒンジに寄った位置に設けられていることを特徴とする。
【０００９】
また、前記設定値表示装置を回動自在に支持する支持手段と、前記設定値表示装置を固定し、前記表示面の向きを定める固定手段とを備えたことを特徴する。
【００１０】
また、前記設定値表示装置を回動自在に支持する支持手段と、前記設定値表示装置の回動する範囲を規制する規制手段とを備えたことを特徴とする。
【発明の効果】
【００１１】
本発明の遊技機によれば、当りの当選確率が異なる複数の抽選テーブルのうち、遊技に用いる抽選テーブルに対応づけられた設定値を表示する設定値表示装置が、筐体にヒンジを介して回動自在に取付けられた扉の裏側の位置に、設定値の表示面をヒンジに向けて設けられているから、扉を小さく開放するだけでは設定値を確認することができず、扉を大きく開放する必要が生じる。これにより、不正行為者が設定値を変更するときに、扉を開放する動作を目立たせることができ、遊技場の従業員等が不正行為を発見しやすくなる。従って、不正行為者は自分に有利となる設定値を選択することができなくなり、不正に設定値を選択するゴト行為を防止する効果が得られる。
【００１２】
また、設定値表示装置が扉の中央の位置からヒンジに寄った位置に設けられているから、設定値表示装置がヒンジから離れた位置に設けられている場合に比べ、不正行為者が扉を開放する角度を大きくして頭をヒンジに近づけ、表示面を覗き込むような姿勢をとった場合でも、設定値表示装置の表示面を視認することが困難になるから、扉を開放する動作と設定値を確認する動作をさらに目立たせることができ、ゴト行為を防止する効果をさらに高めることができる。
【００１３】
また、設定値表示装置を回動自在に支持させ、表示面の向きを定めてから固定できるようにしたから、複数の遊技機が狭い間隔で並んで設置され、開放した扉が隣接する遊技機に接触しやすくなるために扉を開放できる角度が比較的小さくなる場合であっても、遊技場の管理者が設定値を確認しにくくなることがないように、設定値表示装置の表示面の向きを調整することができる。また、扉を少し開放するだけで設定値が見やすくなるように、不正行為者が設定値表示装置を回動させることを防ぐことができる。
【００１４】
また、設定値表示装置を回動自在に支持させ、さらに設定値表示装置が回動する範囲を規制するようにしたから、上述のように扉を開放できる角度が比較的小さくなる場合であっても、遊技場の管理者が設定値を確認しにくくなることがないように、設定値表示装置の表示面の向きを調整することができる。また、設定値表示装置が回動する角度を小さくできるから、不正行為者が設定値表示装置を大きく回動し、扉を少し開放するだけで設定値を見やすくする行為を防止できる。
【発明を実施するための最良の形態】
【００１５】
図１に示すように、スロットマシン（遊技機）１０は、収納箱１１と収納箱１１の前面に回動自在に取付けられた前面扉（扉）１２とからなる筐体１３を備えている。前面扉１２は上部に設けられた上部扉１２ａと下部に設けられた下部扉１２ｂとからなる。上部扉１２ａには透明な表示窓１４が設けられている。表示窓１４の奥には第１リール１５ａ、第２リール１５ｂ、第３リール１５ｃを有するリールユニットが設けられている。第１リール１５ａ〜第３リール１５ｃの外周面には複数種類の図柄が配列されており、リールが停止すると表示窓１４を通して１リール当たり３個の図柄が外部に表示される。スロットマシン１０では、各リールが停止した時に計９個の図柄が表示され、各図柄が停止する位置を直線状に結んだ入賞ラインが横に３本、斜めに２本の合計５本設定されている。表示窓１４の右側方には液晶表示装置１６が設けられており、例えば、アニメーションを利用して当選した当選役の種類を報知するなど遊技上の様々な演出画像を表示する。
【００１６】
スロットマシン１０は、詳しくは後述するが、電子抽選による当りの当選確率が異なる６種類の抽選テーブルを有しており、いずれか１つの抽選テーブルを使用して遊技が実行される。当りの当選確率が高い抽選テーブルが使用されると、遊技に使用されるメダルの数に対し、払い出されるメダルの数の割合であるペイアウト率が高くなり、遊技者に利益を付与する確率が高くなる。周知のように、各抽選テーブルは、当りの当選確率が６段階に分けられ、６種類の設定値と対応している。この設定値は設定１〜６で構成されており、設定１→設定２→設定３→設定４→設定５→設定６と設定値が高い順に当りの当選確率が高く、ペイアウト率が高い。
【００１７】
下部扉１２ｂには、遊技の開始時に操作され、メダルが１枚づつ投入される１ベットボタン１８、メダルの上限の投入枚数である３枚が一度に投入されるＭＡＸベットボタン１９が設けられている。また、クレジットされているメダルを払い出すためのペイアウトボタン２０、遊技を行う際にメダルを投入するためのメダル投入口２１、第１リール１５ａ〜第３リール１５ｃを回転させて遊技を開始する際又は設定値の選択時に選択した設定値を確定する際に操作されるスタートレバー２２、回転するリールをそれぞれ停止させるための第１ストップボタン２３〜第３ストップボタン２５などが設けられている。また、下部扉１２ｂにはメダル受け皿２６が設けられており、このメダル受け皿２６には、入賞したときに得られるメダルが払い出し口２７から払い出される。
【００１８】
下部扉１２ｂの前面の側方にはドアキーシリンダ２８が設けられている。ドアキーシリンダ２８に専用の鍵であるドアキーを差し込んで回転させると下部扉１２ｂの施錠が解除され、下部扉１２ｂを開放することが可能になる。下部扉１２ｂを開放すると、これが検知され、メダルの投入は受け付けられなくなるとともに、メダルが投入してある状態でも遊技を行うことは不可能となる。また、下部扉１２ｂを回動させ、収納箱１１の前面下側部分を開放すると、収納箱１１と上部扉１２ａとの係合を解除することができ、上部扉１２ａを回動させることが可能になる。
【００１９】
図２に示すように、下部扉１２ｂの裏側には、スロットマシン１０の設定値を表示する設定値表示装置３４が設けられている。設定値表示装置３４は、収納箱１１の内部に設けられた設定選択操作部３５が操作された際に設定値を表示する。設定選択操作部３５は、閉じられた状態の下部扉１２ｂの背後に設けられており、下部扉１２ｂを回動させると外部に露呈される。
【００２０】
図３に示すように、設定選択操作部３５の前面には、設定値の選択時に予め操作される設定選択キーシリンダ３６と、スロットマシン１０の電源のオン／オフを切り替える電源スイッチ３７と、設定値を選択するための設定値選択ボタン３８とが設けられている。設定選択キーシリンダ３６には、設定選択キー３９が差し込まれる。設定選択キーシリンダ３６は、差し込まれた設定選択キー３９を回動する操作が行われると、オフ位置とオン位置の２つの位置間で回動する。設定選択キーシリンダ３６には、オン位置とオフ位置に回動されたことを検知するセンサが内蔵されている。設定選択キーシリンダ３６をオン位置に回動すると、設定値の選択操作が許可され、設定値選択ボタン３８の操作が有効化される。また、設定値表示装置３４にスロットマシン１０の現在の設定値が表示される。
【００２１】
図４に示すように、設定値表示装置３４は、設定値の数字を表示する７セグメント式の表示面４２を有する表示装置本体４３と、表示装置本体４３の底部に一体に設けられた平板状の取付け板４４とからなる。取付け板４４は、表示面４２とは反対側である表示装置本体４３の後方に突出している。設定値表示装置３４は、下部扉１２ｂに設けられた平坦な支持面（支持手段，固定手段）４５に支持され、下部扉１２ｂに取付けられる。支持面４５はネジ穴４６を有する。取付け板４４（固定手段）には、表示装置本体４３の後方の位置に貫通穴（支持手段）４４ａが形成されている。貫通穴４４ａにはネジ４７が通され、ネジ４７はネジ穴４６に取付けられる。ネジ４７を締め込むと、取付け板４４によって設定値表示装置３４が下部扉１２ｂに固定される。ネジ４７を緩めると、取付け板４４はネジ４７のネジ軸（支持手段）４７ａを中心として支持面４５の上で回動自在に支持される。ネジ４７の頭部（固定手段）４７ｂは貫通穴４４ａより大きいため、取付け板４４は支持面４５とネジ４７の頭部４７ｂとに挟み込まれ、設定値表示装置３４が固定される。
【００２２】
下部扉１２ｂに一体形成された回動規制突起（規制手段）４８は、支持面４５の側端から突出しており、先端部が上方に向かって形成されたＬ字形状を有している。回動規制突起４８は、支持面４５の上で回動自在に支持された設定値表示装置３４の回動する範囲を規制する。図５に示すように、設定値表示装置３４が回動する範囲は、取付け板４４の一方の側縁部が下部扉１２ｂの裏面に接触する位置から、取付け板４４の他方の側縁部が回動規制突起４８に接触する位置までの間の範囲となる。取付け板４４が下部扉１２ｂの裏面に接触する位置にあるときは、下部扉１２ｂを大きく回動しないと表示面４２が見づらくなる。また、取付け板４４が回動規制突起４８に接触する位置にあるときは、下部扉１２ｂを回動する角度が比較的小さくても表示面４２が見やすくなる。取付け板４４を固定する位置は、下部扉１２ｂの回動可能な角度の大きさに応じて決めるのが好ましい。
【００２３】
図６に示すように、下部扉１２ｂは、その一端側に設けられたヒンジ５０によって収納箱１１と連結されている。設定値表示装置３４は、表示面４２が下部扉１２ｂの回動の中心となるヒンジ５０を向くように取付けられている。また、設定値表示装置３４は、下部扉１２ｂの中央の位置よりもヒンジ５０に寄った位置に設けられている。表示面４２に表示される設定値を確認するためには、下部扉１２ｂを開放する時に回動する角度を大きくし、ヒンジ５０の近傍に頭を近づけ、表示面４２を覗き込むようにする。
【００２４】
図７に示すように、設定値の選択をする際には、設定値選択ボタン３８を押下する。設定値表示装置３４の表示面４２には、設定値選択ボタン３８が押下されるごとに、６段階の設定値が設定１→設定２→設定３→設定４→設定５→設定６→設定１・・・の順番で一巡するように順次に切り替わって表示される。設定値選択ボタン３８で設定値の選択が終了した後、スタートレバー２２を操作すると選択された設定値が確定する。選択した設定値が確定した後に設定選択キー３９を用いて設定選択キーシリンダ３６をオフ位置に回動させると設定値表示装置３４に表示された設定値が消え、設定値の選択が終了する。下部扉１２ｂを閉じ、施錠を行うと、スロットマシン１０で遊技を行うことが可能となる。
【００２５】
図８に示すように、スロットマシン１０の作動は基本的にＣＰＵ（設定手段）６０によって管制される。ＣＰＵ６０は、メモリ６１のＲＯＭ領域に記憶された遊技プログラムを実行し、制御部６２及び電子抽選部７０，当選役決定部７１として機能する。
【００２６】
メダルセンサ６３はメダル投入口２１から投入されたメダルを検知し、メダルの検知信号を制御部６２に入力する。制御部６２は、メダルセンサ６３からの検知信号に基づいてメダルの枚数を計数する。制御部６２は、１ベットボタン１８又はＭＡＸベットボタン１９が操作されると、投入された１枚又は３枚のメダルを消費して、入賞有効ラインの有効化本数を決定する。なお、遊技を行うには、メダル投入口に実際にメダルを投入することの他に、予めクレジットされたメダルを使用することができる。
【００２７】
スタート信号センサ６４は、スタートレバー２２が操作されたときにスタート信号を制御部６２に入力する。ストップボタンセンサ６６ａ〜６６ｃは、第１ストップボタン２３〜第３ストップボタン２５が操作されたときに制御部６２にリールごとのストップ信号を入力する。リール駆動部６５は、スタート信号に応答して制御部６２から出力されるリール始動信号により、第１リール１５ａ〜第３リール１５ｃを回転させる。また、ストップ信号に応答して制御部６２から出力されるリール停止信号により、第１リール１５ａ〜第３リール１５ｃをそれぞれ停止させる。
【００２８】
電子抽選部７０は、スタート信号を受けて乱数値をサンプリングし、遊技が開始されるごとに１つの乱数値を抽選する。抽選された乱数値は当選役決定部７１に入力される。当選役決定部７１は、入力された値に応じて現在実行された遊技でどのような当選役を与えるかを決定する。制御部６２、決定した当選役が入賞有効ライン上で揃うと、入賞が成立したと判断し、当選役の種類に応じて規定枚数のメダルをホッパー装置６７に払い出させるか、あるいはクレジットカウンタにその規定枚数を加算してメダルをクレジットする。
【００２９】
当選役決定部７１には、電子抽選部７０で発生する全乱数値を複数の数値範囲にグループ分けし、各グループに当選役を割り当てた複数の抽選テーブルが用意されている。抽選テーブルは設定値の種類に応じて、第１抽選テーブル７３ａ〜第６抽選テーブル７３ｆの６種類がある。各抽選テーブルには、周知のビッグボーナスモード，レギュラーボーナスモード、アシストタイムモード等のように多数のメダルを獲得できるボーナス遊技に移行する特賞役、所定枚数のメダルが払い出される小役、メダルを投入することなく同じ入賞有効ライン本数で次回の遊技を行う権利が得られるリプレイ役などの当選役、及びハズレが割り当てられている。各抽選テーブルは、電子抽選部７０によってサンプリングされた乱数値が各当選役又はハズレのいずれのグループに属しているかの判定に使用される。
【００３０】
第１抽選テーブル７３ａ〜第６抽選テーブル７３ｆは、例えばボーナス遊技に移行する確率が互いに異なり、小役の当選確率は全ての抽選テーブルで等しくなるように乱数値がグループ分けされている。ボーナス遊技に移行するための条件としては、例えば、特賞役に直接当選した時、特定の小役が連続して所定回数だけ当選した時、ハズレが連続して所定回数だけ抽選された時、所定回数の遊技を行った時等があり、ボーナス遊技に移行する条件が満たされると、特賞役を揃える遊技を行うことができる。スロットマシン１０では、遊技者に有利な遊技状態となるボーナス遊技に移行する確率が、各抽選テーブルにおける当りの当選確率を表し、どの抽選テーブルを使用して遊技が実行されるかによりペイアウト率が変わる。
【００３１】
第１抽選テーブル７３ａ〜第６抽選テーブル７３ｆは、第１抽選テーブル７３ａが「１」の設定値に対応して最もペイアウト率が低く、第６抽選テーブル７３ｆが「６」の設定値に対応して最もペイアウト率が高い。第２抽選テーブル７３ｂ〜第５抽選テーブル７３ｅは、当りの当選確率が第１抽選テーブル７３ａと第６抽選テーブル７３ｆの間の数値であり、高い設定値に対応した抽選テーブルほどペイアウト率が高い。スロットマシン１０は、設定１が選択されたときには第１抽選テーブル７３ａ、設定値２が選択されたときには第２抽選テーブル７３ｂ、設定値３が抽選されたときには第３抽選テーブル７３ｃ、設定値４が選択されたときには第４抽選テーブル７３ｄ、設定値５が選択されたときには第５抽選テーブル７３ｅ、設定値６が選択されたときには第６抽選テーブル７３ｆを使用して遊技が実行される。
【００３２】
制御部６２は、設定選択キーシリンダ３６がオン位置に回動されたこと示す検知信号が入力されたことを条件に、設定値信号を設定値表示装置３４に送る。設定値表示装置３４には、当選役決定部７１において設定されている抽選テーブルの種類に対応する設定値が表示される。
【００３３】
次に本発明の作用について説明する。スロットマシン１０の設定値を選択する際には、下部扉１２ｂのドアキーシリンダ２８にドアキーを差し込み、下部扉１２ｂの施錠を解除する。下部扉１２ｂを開放すると、スロットマシン１０の内部の設定選択操作部３５が外部に露呈される。また、制御部６２は、下部扉１２ｂの開放に応答してメダル投入口２１からのメダルの投入をキャンセルし、スタートレバー２２を操作しても第1リール１５ａ〜第３リール１５ｃを回転させない遊技禁止状態にする。
【００３４】
電源スイッチ３７をオンにし、設定選択キーシリンダ３６に設定選択キー３９を差し込み、設定選択キーシリンダ３６をオン位置に回動する。設定選択キーシリンダ３６は、オン位置に回動されたことを示す検知信号を制御部６２に送る。制御部６２は、設定選択キーシリンダ３６からの検知信号を受け、遊技に使用する抽選テーブルを指定するパラメータとしてメモリ６１に記憶された設定値を読み出し、これに対応する設定値信号を設定値表示装置３４に送る。制御部６２は、設定値選択ボタン３８を有効化し、設定値選択ボタン３８の操作による設定値の選択を受け付ける状態にする。設定値表示装置３４の表示面４２には、スロットマシン１０の現在の設定値が表示される。
【００３５】
設定値表示装置３４により表示された設定値を確認するためには、下部扉１２ｂを大きく開放し、表示面４２をヒンジ５０の近傍から覗き込むようにする。制御部６２は、設定値選択ボタン３８を押下すると、１回の押下ごとに設定値表示装置３４に現在の設定値よりも１段階高い設定値に対応する設定値信号を送り、表示されている設定値を切り替える。
【００３６】
設定値選択ボタン３８の押下によって任意の設定値を選択し、スタートレバー２２を操作すると、選択された設定値が確定する。すなわち、遊技に使用する抽選テーブルを指定するためのパラメータとしてメモリ６１に記憶された設定値が書き換えられる。このようにして設定値の選択が終了すると、設定選択キーシリンダ３６をオフ位置に回動し、設定選択キー３９を引き抜く。設定選択キーシリンダ３６がオフ位置に回動すると、制御部６２は、設定値表示装置３４をオフし、表示された設定値が消える。
【００３７】
下部扉１２ｂを閉め、ドアキーシリンダ２８によって下部扉１２ｂを施錠すると、制御部６２によりこれが検知され、スロットマシン１０は遊技可能な状態へ移行する。メダル投入口２１にメダルを投入し、スタートレバー２２を操作すると、電子抽選部７０による乱数のサンプリングと、当選役決定部７１による当選役の決定が行われる。当選役決定部７１は、選択された設定値に対応した抽選テーブルを使用して当選役を決定する。また、リール駆動部６５は、第１リール１５ａ〜第３リール１５ｃを回転させる。第１ストップボタン２３〜第３ストップボタン２５がそれぞれ押下されると、リール駆動部６５は、当選役決定部７１で決定された当選役又はハズレが成立するように第１リール１５ａ〜第３リール１５ｃを停止させる。
【００３８】
有利な遊技が行えるようにスロットマシン１０の設定値を変更しようとする不正行為者は、例えば、遊技場の営業時間中に複製したドアキーや特殊な器具を使用して下部扉１２ｂの施錠を解除し、下部扉１２ｂを小さく開放して設定選択キーシリンダ３６をオン位置に回動する。このとき、設定値表示装置３４には設定値が表示されるが、設定値表示装置３４は、下部扉１２ｂの裏側の位置に設けられ、さらに表示面４２がヒンジ５０を向いているため、下部扉１２ｂを小さく開放したままでは設定値を確認することができない。不正行為者は、設定値を確認するために、下部扉１２ｂを大きく開放し、表示面４２を覗き込む必要がある。その動作は一般の遊技者と大きく異なる特異な動作であるため、遊技場の店員等により不正行為が行われていることが容易に発見される。なお、遊技場の管理者がスロットマシン１０の設定値を確認する時には、表示される設定値が見易くなるように下部扉１２ｂをできるだけ大きく開放し、設定値の選択を行えばよい。
【００３９】
なお、本発明は上記実施形態に限られるものではなく適宜の変更が可能である。例えば、設定値表示装置３４は、１本のネジ４７を締め込むことにより固定され、ネジ４７を緩めることにより支持面４５の上でネジ軸４７ａを中心として回動自在に支持されるようにしているが、複数本のネジによって設定値表示装置３４を固定してもよい。複数本のネジが用いられる場合には、１本のネジを残して他のネジを外し、設定値表示装置３４を回動して表示面４２の向きを調整した後に他のネジを取付けられるようにすることが好ましい。また、設定値表示装置３４を固定する固定手段として、ネジ穴４６を有する支持面４５とネジ４７の頭部４７ｂとによって取付け板４４を挟み込む構成とする以外にも、取付け板４４と支持面４５の間に接着剤を塗布し、表示面の向きを定めた後に設定値表示装置３４の位置を変えられないようにしてもよい。
【００４０】
設定値表示装置３４を回動自在に支持する支持手段としては、ネジ４７のネジ軸４７ａを挿通した取付け板４４を平坦な支持面４５の上で支持する構成とする以外にも、支持面４５にこれと垂直な突起を形成し、この突起に取付け板４４を挿通した状態で突起の先端にキャップ等を設けて取付け板４４を抜け止めする構成としてもよい。また、設定値信号の授受のために設定値表示装置３４と下部扉１２ｂとを接続するためのコネクタをそれぞれに設け、表示面４２がヒンジ５０を向いていない状態では、下部扉１２ｂと設定値表示装置３４の各コネクタが互いに接続できないようにしてもよい。なお、表示面４２がヒンジ５０を向く状態とは、表示面４２の法線と、設定値表示装置３４を取付ける位置からヒンジ５０までを結ぶ直線とのなす角度が９０度より小さい状態を表す。さらに、この角度は４５度より小さいことが好ましい。
【００４１】
設定値表示装置３４は、ＬＥＤの発光による７セグメント式の表示装置を用いることに限らず、ドットマトリクス式の液晶表示装置や、表示面に設定値の種類に対応した数のランプ（ＬＥＤ等）を有し、設定値に対応して発光するランプの数が変化する表示装置等を用いてもよい。また、本発明は、パチスロ機のようなスロットマシンに限られず、当りの当選確率を変更できる遊技機であれば、パチンコ機等の他の遊技機に適用することができる。
【図面の簡単な説明】
【００４２】
【図１】スロットマシンの外観を示す斜視図である。
【図２】下部扉を開放したスロットマシンの斜視図である。
【図３】設定選択操作部の斜視図である。
【図４】設定値表示装置の斜視図である。
【図５】設定値表示装置の回動する範囲を示す上面図である。
【図６】下部扉が開放した状態を示す上面図である。
【図７】設定値を選択する時に表示面が移り変わる様子を示す説明図である。
【図８】スロットマシンの電気的な構成を示すブロック図である。
【符号の説明】
【００４３】
１０  スロットマシン（遊技機）
１２ｂ  下部扉（扉）
３４  設定値表示装置
３５  設定選択操作部
３８  設定値選択ボタン
４２  表示面
４４  取付け板（支持手段）
４４ａ  貫通穴
４５  支持面（支持手段，固定手段）
４６  ネジ穴
４７ａ  ネジ軸（支持手段）
４７ｂ  頭部（固定手段）
４８  回動規制突起（規制手段）
５０  ヒンジ
６０  ＣＰＵ（設定手段）
７０  電子抽選部
７１  当選役決定部
７３ａ  第１抽選テーブル
７３ｂ  第２抽選テーブル
７３ｃ  第３抽選テーブル
７３ｄ  第４抽選テーブル
７３ｅ  第５抽選テーブル
７３ｆ  第６抽選テーブル
【図１】
2006191999.tif 000003
【図２】
2006191999.tif 000004
【図３】
2006191999.tif 000005
【図４】
2006191999.tif 000006
【図５】
2006191999.tif 000007
【図６】
2006191999.tif 000008
【図７】
2006191999.tif 000009
【図８】
2006191999.tif 000010